(57)【要約】【課題】哺乳瓶に水切れ及び乾かしへの応用を提供でき、哺乳瓶フードの持つ多機能使用及び応用効果の向上など実用目的を実現させる多用途の哺乳瓶フード構造を提供する。【解決手段】哺乳瓶フード主体を階段状のキヤップに設計し、キヤップ内部において大・小口径キャップに形成させ、その係合端を手を嵌めこみやすい波浪状に設計し、他の一端の頂面において複数の止め片を延長して設けて、該止め片で囲むように哺乳瓶の瓶口を嵌合するための係合空間を形成し、一方大口径キヤップは瓶体の底部を嵌合可能とし、係止空間によって逆さまに置いた哺乳瓶を嵌めこむことができる。【選択図】  図1
0003127463.tif 000002
【実用新案登録請求の範囲】
【請求項１】
多用途の哺乳瓶フード構造に関して、主として哺乳瓶フード本体を階段状のキヤップに設計して更にキヤップ内部において大・小ロ径キヤップに形成させ、そして他の―端の頂面において複数の止め片を延長して設けて、
該止め片で囲むように哺乳瓶の瓶口を嵌合するための係止空間を形成し、それによってフード構造が小ロ径キヤップによって乳首固定キヤップを覆って汚れから守ることができ、―方大口径キヤップは瓶体の底部を嵌合して紛失防止との機能が提供でき、更に係止空間によって逆さまに置いた哺乳瓶を嵌めこむことができ、哺乳瓶に水切れ及び乾かしへの応用を提供でき、哺乳瓶フードの持つ多機能使用及び応用効果の向上など実用目的を実現させるものである。
【請求項２】
請求項1に記載した多用途の哺乳瓶フード構造であり、その中において、構造では哺乳瓶フード本体の係合端を手を嵌め込み易い波浪形状に設けたため、哺乳瓶フードを楽に外しやすいよぅに制御できるものである。
【考案の詳細な説明】
【技術分野】
【０００１】
本考案の多用途の哺乳瓶フード構造とは、安全なプラスチック材質で―体に頂面に複数の止め片を有する哺乳瓶フードに作成し、止め片で囲んでできた係止空間によって哺乳瓶を逆さまに置くように制御し、更に階段状の段取りで大小違ったサイズのキヤップに形成して、哺乳瓶本体における多部位への嵌め込みに対応し、更に多用途への結合による各種応用を完成させ、哺乳瓶フードに汎用効果及び機能性向上促進を提供する技術分野である。
【背景技術】
【０００２】
よって、普通としては、出生したばかりの赤ちゃん及び学齢前の幼児が成長していく過程において殆ど乳製品を主食としていて、直接に母乳を飲まない場合、―般的には哺乳瓶でミルクパウダ―またはその他の副食品を入れて赤ちゃんや幼児に飲ませる方式で食事を済ませるため、乳首固定キヤップの乳首を汚れから守るには通常哺乳瓶フードで乳首を覆って乳製品を変質したり汚染されたりすることから守るのであり、つまり哺乳瓶フードを利用する主要な目的でもある。
【考案の開示】
【考案が解決しようとする課題】
【０００３】
イ、前記の従来知られた哺乳瓶フードの構造では只乳首固定キヤップと合わせて係合するように応用され、乳首を汚れから守る機能はこの構造の持つ唯ーの使用機能であるため、効果的では限られていて実用に合わせ難いところが主な欠点となる。
ロ、一般に知られた哺乳瓶フードでは、フードと瓶体との嵌合を外して哺乳瓶から分離させたら、うかつに任意に置くことにより、後から見付からないトラブルがよくあり、また任意に置いたことにより落ちたりすることもあるため、フードを汚す虞があるほか、更にフードの紛失によって乳首固定キヤップを係合して保護となる機能を失って、使用に不便をもたらすのである。
ハ、従来知られた哺乳瓶では、洗浄しても大半内部に水気または液体が残留され、残留の多少にかかわらず皆即時に高温による消毒を行わないまま、いやなにおいがすることになるため、経験者ならば皆哺乳瓶を洗浄したら絶対フードで蓋をするのがだめだと分かっているが、乾かしにくいのに困っているのである。
【課題を解決するための手段】
【０００４】
イ、本考案による多用途の哺乳瓶フード構造とは、安全なプラスチック材質で―体に頂面に複数の止め片を有する哺乳瓶フードに作成し、止め片で囲んでできた係止空間によって哺乳瓶を逆さまに置くように制御し、更に階段状の段取りで大小違ったサイズのキヤップに形成して、哺乳瓶本体における多部位への嵌め込みに対応し、更に多様の用途での結合における各種応用を完成させ、哺乳瓶フードに汎用効果及び機能性向上促進を提供する。
ロ、哺乳瓶フードをそのまま哺乳瓶底部に嵌合して応用すると、うかつに紛失するトラブルを防止しやすいため、簡易で収納に便利になる使用効果を有する。
ハ、本考案の構造では哺乳瓶を逆さまに置くことによって瓶口と係合空間を係合にして固着させることができ、且哺乳瓶内部の水気及び液体を止め片で仕切った位置にある窪みから排出させると、徹底に洗浄後の哺乳瓶を乾かすことができるため、哺乳瓶に異臭及び細菌の残留が無くなるのである。
【考案を実施するための最良の形態】
【０００５】
まず、図1、図2、図3による説明を参考されたい。本考案では主として、哺乳瓶フード本体2を階段状のキヤップに設計して更にキヤップ内部において大・小口径キヤッ7021と22に形成させ、更にその係合端を手を嵌めこみやすい波浪状23に設計して、そして他の一端の頂面において複数の止め片24を延長して設けて、該止め片24で囲むように哺乳瓶の瓶口31と合わせて係合するための係止空間25を形成し、それによって哺乳瓶フードの構造が小ロ径キヤップ22によって乳首固定キヤップ4と合わせて係合になるよぅに応用でき、そうすると乳首41を安全に保護して汚れから守る作用を備えることができ
(図2を参考)、一方大口径キヤップ21は瓶体3の底部32とそのまま係合できるため、哺乳瓶フード2を紛失から防止できる機能が提供でき(図3を参考)、本考案の構造は波浪状23によって指を嵌めることができるため、便利でスピ―ディに哺乳瓶フード本体2を取外すことができ、操作便利との効果を収める。
【０００６】
それから図4及び図4―Aを合わせて参考されたい。本考案の構造では哺乳瓶フード本体2を縦に置くとその頂面にある係止空間25に逆さまに置いた哺乳瓶の瓶口31をちょうど嵌めこむことができ、そうすると止め片24同士の間隔の位置に形成した窪み241から液体Wが順調に排出されるため、哺乳瓶本体3に水切れ及び乾かしへの応用を提供し、有効に細菌の繁殖及び異臭の生成によるトラブルが改善できる。
【０００７】
前記を纏めて考えると、本考案では多機能応用への設計によって哺乳瓶フードの使用効果及び実用効率の向上を増加できるし、更に水切れによる乾かし動作で哺乳瓶内部によく存在した湿気現象が改善できることが明らかになるため、木考案は従来知られた哺乳瓶フードの構造における設計よりも―層進歩性を有することになる。
【図面の簡単な説明】
【０００８】
【図１】本考案の構造の立体成型図である。
【図２】本考案の構造を乳首固定キヤップに係合して使用するイメージ図である。
【図３】本考案の構造を哺乳瓶の底部に係合して使用するイメージ図である。
【図４】本考案の構造を哺乳瓶を逆さまに置くときに使用するイメージ図である。
【図４−Ａ】本考案において哺乳瓶を逆さまに置くときにその水切れの詳細図である。
【符号の説明】
【０００９】
２  哺乳瓶フード本体
２１  大口径のキャップ
２２  小ロ径のキャップ
２３  波浪状
２４  止め片
２５  係合空間
２４１  窪み
３  哺乳瓶本体
３１  哺乳瓶の瓶口
３２  底部
４  乳首固定キャップ
４１  乳首
Ｗ  液体
【図１】
0003127463.tif 000003
【図２】
0003127463.tif 000004
【図３】
0003127463.tif 000005
【図４】
0003127463.tif 000006
【図４−Ａ】
0003127463.tif 000007
【手続補正書】
【提出日】平成18年10月2日(2006.10.2)
【手続補正１】
【補正対象書類名】実用新案登録請求の範囲
【補正対象項目名】全文
【補正方法】変更
【補正の内容】
【実用新案登録請求の範囲】
【請求項１】
哺乳瓶フード本体を階段状のキヤップに設計して更にキヤップ内部において大・小口径キヤップに形成させ、そして他の―端の頂面において複数の止め片を延長して設けて、
該止め片で囲むように哺乳瓶の瓶口を嵌合するための係止空間を形成し、それによってフード構造が小口径キヤップによって乳首固定キヤップを覆い、一方、大口径キヤップは瓶体の底部を嵌合し、更に係止空間によって逆さまに置いた哺乳瓶を嵌め込み可能とする形状を有することを特徴とする多用途の哺乳瓶フード構造。
【請求項２】
上記哺乳瓶フード本体の係合端を手で嵌め込み易い波浪形状に形成したことを特徴とする請求項1に記載した多用途の哺乳瓶フード構造。